(57)【要約】【課題】従来、高周波バースト信号の出力レベルを一定化する自動利得制御装置において、立ち上がりを速くするためＡＧＣ制御電圧を予めプリチャージしていたが、温度、経年変化によってＡＧＣ電圧の収束値が変化しプリチャージ電圧からずれるので、ＡＧＣ制御電圧にオーバーシュートが発生し応答性を悪くしていた。【解決手段】高周波バースト信号を増幅する可変利得増幅器と、前記可変利得増幅器の出力を検出する検出部と、検出部の出力電圧と基準電圧とを差動増幅しＡＧＣ電圧を出力するＡＧＣ増幅器と、ＡＧＣ電圧を保持し可変利得増幅器に供給する時定数回路とを備えた自動利得制御装置において、高周波バースト信号の立ち下がり直前に時定数回路の出力電圧を記憶保持し、次の高周波バースト信号立ち上がり時に時定数回路へ供給すると共に、高周波バースト信号が立ち上がる毎に記憶した電圧を新しいＡＧＣ電圧に更新したことを特徴とする自動利得制御装置。【選択図】    図１
2006216995.tif 000002
【特許請求の範囲】
【請求項１】
利得制御信号に従った所定の利得にて高周波バースト信号を増幅する可変利得増幅器と、前記可変利得増幅器の出力を所望の電力レベルまで増幅する電力増幅器と、前記電力増幅器の出力を検出し検出電圧を発生する検出部と、前記検出電圧と基準電圧との差を増幅しＡＧＣ電圧を出力するＡＧＣ増幅器と、前記ＡＧＣ電圧に含まれる高域周波数成分を除去し前記可変利得増幅器に前記利得制御信号を供給する時定数回路とを備えた自動利得制御装置において、
前記ＡＧＣ電圧を記憶保持しこれをＡＧＣ記憶電圧として出力するＡＧＣ記憶部と、該ＡＧＣ記憶電圧と前記ＡＧＣ電圧とのいずれか一方を選択し前記時定数回路に出力する切替手段と、前記高周波バースト信号の立ち上がり或いは立ち下がりに同期して前記ＡＧＣ電圧の記憶タイミングと前記切替手段の切替タイミングとを制御する制御部とを備えたことを特徴とする自動利得制御装置。
【請求項２】
前記制御部は前記高周波バースト信号の立ち下がり時に第１の切替信号を送出し前記切替手段から前記ＡＧＣ記憶電圧を選択出力するよう制御し、前記高周波バースト信号の立ち上がりから所定時間経過後に第２の切替信号を送出し前記切替手段から前記ＡＧＣ電圧を選択出力するよう制御し、前記第２の切替信号が送出されてから所定時間経過後の前記高周波バースト信号が立ち下がる前に記憶制御信号を送出し前記ＡＧＣ電圧を前記ＡＧＣ電圧記憶部に記憶するよう制御したものであることを特徴とする請求項１記載の自動利得制御装置。
【請求項３】
前記制御部は、前記第２の切替信号が送出される毎の前記高周波バースト信号が立ち下がる前に、前記ＡＧＣ電圧記憶部に記憶された記憶電圧を最新のＡＧＣ電圧に更新するものであることを特徴とする請求項２記載の自動利得制御装置。
【発明の詳細な説明】
【技術分野】
【０００１】
本発明は、ＴＤＭＡ（時分割多重アクセス）方式の通信システムにおける送信出力の自動制御装置に関する。
【背景技術】
【０００２】
近年、デジタル変復調を扱う無線機は、回線利用効率の高いＴＤＭＡ（Ｔｉｍｅ  Ｄｉｖｉｓｉｏｎ  Ｍｕｌｔｉｐｌｅ  Ａｃｃｅｓｓ：時分割多重）方式が主流となっている。
ＴＤＭＡ方式は同じ周波数を複数の無線機で共有し、同一時刻に送信波が互いに干渉しないよう各無線機の送信のタイミングと送信電力が厳密に管理されている。
各無線機は短時間に高周波信号をＯＮ、ＯＦＦするといったバースト信号を送信するので、送信信号には鋭い立ち上がり、立ち下がり特性が要求される。 
例えば、送信波形の立ち上がりにおいて振幅のオーバーシュートが生じると、送信出力の周波数スペクトラムが所望の周波数帯域よりも広がってしまい、隣接するチャネルに影響を与えてしまう。そこで、これを防止することを目的として、無線機の送信出力を一定化するとともに、信号の立ち上がりに鋭く応答し振幅のオーバーシュートを発生させない送信電力制御（自動利得制御）装置が特開平６−５３９１９号公報に開示されている。  
【０００３】
特開平６−５３９１９号公報に開示された技術によれば、速い応答速度の自動利得制御回路と通常の応答速度の自動利得制御回路とを２つ備えるようにし、これらの出力を加算したものを可変利得増幅器にフィードバックすることによってオーバーシュートを抑圧し、且つ安定した自動利得制御機能を得ている。
ところが、この送信電力制御装置は自動利得制御回路を２系統必要とするため回路が大規模となり複雑化する。そこで、簡単な構成でオーバシュートの発生を防止することが可能な送信電力制御技術（自動利得制御技術）が特開平９−２８９４２５号公報に開示されている。
【０００４】
図３は特開平９−２８９４２５号公報に開示された従来の送信電力制御装置のブロック図を示したものである。
図３に示した従来の送信電力制御装置は、送信タイミング信号Ｓｔに従い高周波のバースト信号Ｐｍを発生する送信信号発生回路５と、利得制御信号Ｓｇに従って所定の利得で前記バースト信号ＰｍをＡＧＣ増幅する可変利得増幅器４と、前記可変利得増幅器４の出力を所望の電力レベルに増幅しバースト送信信号Ｐｔを出力する電力増幅器３と、前記バースト送信信号Ｐｔの一部を検出する方向性結合器２と、前記方向性結合器２を通過した前記バースト送信信号Ｐｔを空中に放射するアンテナ１と、前記方向性結合器２が検出したバースト送信信号Ｐｔの一部を検波して検波電圧Ｖｄを出力するレベル検出器６と、前記検波電圧Ｖｄと基準電圧Ｖｒｉとを比較しその比較結果に応じて正の大きい電圧、或いは正の小さい電圧のいずれかを出力する利得制御回路８と、利得制御回路８の出力電圧によって電荷が充放電される時定数回路９と、前記時定数回路９の保持した電圧を増幅し前記利得制御信号Ｓｇを出力する直流増幅器４と、前記利得制御回路８の電源をＯＮ−ＯＦＦするための利得期間制御信号Ｓｐｉと前記送信タイミング信号Ｓｔを出力する通信制御回路１０とを備えている。
【０００５】
レベル検出器６と利得制御回路８と時定数回路９と直流増幅回路７は、ＡＧＣ（Ａｕｔｏｍａｔｉｃ  Ｇａｉｎ  Ｃｏｎｔｒｏｌ：自動利得制御）のフィードバックループを構成するものであり、利得制御信号Ｓｇによって可変利得増幅器４の利得を制御し、電力増幅器３の出力レベルがほぼ一定に保たれる。
ここで、利得制御回路８（コンパレータＣＭＰ）の一方の入力に与えられる電圧Ｖｒｉは予め設定された基準電圧であり前記検波電圧Ｖｄが基準電圧Ｖｒｉに等しくなるよう可変利得増幅器４の利得が制御される。
例えば、検波電圧Ｖｄ＜基準電圧Ｖｒｉのときには、利得制御回路８（コンパレータＣＭＰ）は正の高い電圧Ｖｒ+を発生し時定数回路９を充電し利得制御信号Ｓｇの電圧を高くするようにフィードバック制御が働く。
【０００６】
これに対して、検出電圧Ｖｄ＞基準電圧Ｖｒｉのときには、利得制御回路８（コンパレータＣＭＰ）は正の低い電圧Ｖｒ−を発生し時定数回路９を放電し利得制御信号Ｓｇの電圧を低くするようにフィードバック制御が働く。
また、検波電圧Ｖｄ≒基準電圧Ｖｒｉとなったときには、高い電圧Ｖｒ＋と低い電圧Ｖｒ−を出力する時間がそれぞれほぼ等しくなり利得制御回路８の出力電圧としてほぼ両者の平均電圧となる。つまり、基準電圧Ｖｒｉは電力増幅器３の出力レベルを決定し、検波電圧Ｖｄが基準電圧Ｖｒｉに等しくなるようにフィードバック制御が働いている。
【０００７】
図４は従来の送信電力制御装置の出力波形を示したものである。
図４に示すように、送信制御回路１０はバースト制御信号Ｓｔ（図４（ａ））を生成し、この立ち上がりに同期してバースト信号Ｐｍ（図４（ｂ））が送信信号発生回路５から出力される。
また、送信制御回路１０は利得制御期間信号Ｓｐｉ（図４（ｃ））を出力し、この信号がＨｉとなっている間のみ利得制御回路８（コンパレータＣＭＰ）の電源がＯＮとなり、時定数回路９に対して充放電が可能なように制御されている。
ここで、利得制御期間信号Ｓｐｉの立ち上がりがバースト制御信号Ｓｔの立ち上がりよりも先行していることに注目されたい。利得制御信号Ｓｐｉが立ち上がった直後はバースト信号Ｐｍが出力されていないので、レベル検出回路６から出力される検出電圧Ｖｄはほぼ０Ｖである。すなわち、検波電圧Ｖｄ＜基準電圧Ｖｒｉの状態である。
【０００８】
このとき、利得制御回路９（コンパレータＣＭＰ）は高い電圧Ｖｒ＋を出力し（図４（ｄ））利得制御信号Ｓｇｉの電圧が高くなるよう時定数回路９を所定期間（プリチャージ期間）充電する。なお、時定数回路９の出力電圧Ｓｇｉを０Ｖから所定電圧まで充電（プリチャージ）するようコンデンサＣと抵抗Ｒが適切な値に設定されている。
そこで、バースト信号Ｐｍが立ち上がるとレベル検出器６は検波電圧Ｖｄを出力し、この検波電圧Ｖｄと基準電圧Ｖｒｉとの比較結果に基づきフィードバック制御が働く。
ところが、時定数回路９の出力電圧はＳｇｉはプリチャージ期間において予め所定電圧となるよう充電（プリチャージ）されており、この所定電圧はフィードバック制御が収束した状態の電圧と等しくなるよう設定されている。従って、バースト信号Ｐｍが立ち上がった直後にＶｒｉ≒Ｖｄとなるので、利得制御信号Ｓｇｉの電圧はほとんど変動することなく保持される。
【０００９】
従って、時定数回路９の出力電圧Ｓｔは図４（ｅ）に示すように、バースト信号Ｐｍの立ち上がり直後ほとんど変化せず、オーバーシュートを生じることなく一定電圧（収束した状態における電圧）を保持する。
このように、従来の送信電力制御装置は予め時定数回路９を収束した状態における電圧と等しい電圧にプリチャージすることによって、自動利得制御の応答が速やかに収束するよう改善し利得制御信号Ｓｇｉにオーバーシュートが発生することを防止している。
【特許文献１】特開平６−５３９１９号公報
【特許文献２】特開平９−２８９４２５号公報
【発明の開示】
【発明が解決しようとする課題】
【００１０】
ところが、従来の送信電力制御装置（自動利得制御装置）には次のような問題点がある。
例えば、周囲温度の変化や経年変化によって電力増幅器３や可変利得増幅器４の利得が変化し電力増幅器３の出力レベルが変化することがある。このとき、検波電圧Ｖｄが一時的に変化しＶｄ≠Ｖｒｉの状態となるが、フィードバック制御が働きＶｄ≒Ｖｒｉとなるよう可変利得増幅器４の利得が制御されるので、最終的には電力増幅器３の出力レベルはほぼ一定に維持される。
しかしながら、このとき利得が変化した分利得制御信号Ｓｇｉの電圧値（収束した状態における電圧）が変化するため、時定数回路９のプリチャージ電圧と前記利得制御信号Ｓｇｉの収束した状態の電圧とが一致しなくなる。
よって、バースト信号Ｐｍの立ち上がり直後においてＶｒｉ≒Ｖｄとならず、利得制御信号Ｓｇｉが変動し一定電圧に収束するまでに時間を要してしまう。つまり、時定数回路９の出力電圧Ｓｇｉは、バースト信号Ｐｍが立ち上がった後に電圧が変動するので、この間電力増幅器３の出力において振幅が変動し問題となる。
【課題を解決するための手段】
【００１１】
上記課題を解決するため、請求項１記載の発明においては、利得制御信号に従った所定の利得にて高周波バースト信号を増幅する可変利得増幅器と、前記可変利得増幅器の出力を所望の電力レベルまで増幅する電力増幅器と、前記電力増幅器の出力を検出し検出電圧を発生する検出部と、前記検出電圧と基準電圧との差を増幅しＡＧＣ電圧を出力するＡＧＣ増幅器と、前記ＡＧＣ電圧に含まれる高域周波数成分を除去し前記可変利得増幅器に前記利得制御信号を供給する時定数回路とを備えた自動利得制御装置において、前記ＡＧＣ電圧を記憶保持しこれをＡＧＣ記憶電圧として出力するＡＧＣ記憶部と、該ＡＧＣ記憶電圧と前記ＡＧＣ電圧とのいずれか一方を選択し前記時定数回路に出力する切替手段と、前記高周波バースト信号の立ち上がり或いは立ち下がりに同期して前記ＡＧＣ電圧の記憶タイミングと前記切替手段の切替タイミングとを制御する制御部とを備えたものである。
【００１２】
また、請求項２記載の発明においては、請求項１において、前記制御部は前記高周波バースト信号の立ち下がり時に第１の切替信号を送出し前記切替手段から前記ＡＧＣ記憶電圧を選択出力するよう制御し、前記高周波バースト信号の立ち上がりから所定時間経過後に第２の切替信号を送出し前記切替手段から前記ＡＧＣ電圧を選択出力するよう制御し、前記第２の切替信号が送出されてから所定時間経過後の前記高周波バースト信号が立ち下がる前に記憶制御信号を送出し前記ＡＧＣ電圧を前記ＡＧＣ電圧記憶部に記憶するよう制御したものである。
【００１３】
また、請求項３記載の発明においては、請求項２において、前記制御部は前記第２の切替信号が送出される毎の前記高周波バースト信号が立ち下がる前に、前記ＡＧＣ電圧記憶部に記憶された記憶電圧を最新のＡＧＣ電圧に更新したものである。
【発明の効果】
【００１４】
本発明は、利得制御信号に従った所定の利得にて高周波バースト信号を増幅する可変利得増幅器と、前記可変利得増幅器の出力を所望の電力レベルまで増幅する電力増幅器と、前記電力増幅器の出力を検出し検出電圧を出力する検出部と、前記検出電圧と基準電圧とを差動増幅しＡＧＣ電圧を出力するＡＧＣ増幅器と、前記ＡＧＣ電圧の高域周波数成分を除去し前記利得制御信号を出力する時定数回路とを備えた自動利得制御装置において、高周波バースト信号が立ち下がる直前に前記時定数回路の出力電圧を記憶保持し、これを高周波信号の次の立ち上がり時に時定数回路へ初期電圧として供給するものであり、前記記憶保持した電圧を高周波バースト信号が立ち上がる毎に最新のＡＧＣ電圧に更新するものである。よって、本発明は高周波バースト信号の立ち上がり直後に時定数回路に与える初期電圧をＡＧＣ電圧の収束電圧の最新値に更新するので、可変利得増幅器及び電力増幅器の利得の温度変化や経年変化等によって前記初期電圧とＡＧＣ電圧の収束値とが不一致となることを防止し、温度変化や経年変化に強いオーバーシュートの発生しない速いフィードバック応答特性を備えた、優れた自動利得制御装置を提供する上で効果を奏する。
【発明を実施するための最良の形態】
【００１５】
本発明を図面に示した実施の形態に基づいて説明する。
図１は本発明に係わる自動利得制御装置のブロック図を示したものである。
図１において、自動利得制御装置は高周波バースト信号を後述する利得制御信号に従い所定の利得にて増幅する可変利得増幅器４と、前記可変利得増幅器４の出力を所望の電力レベルに増幅する電力増幅器３と、前記電力増幅器３の出力をアンテナ１に供給すると共にその一部を検出する方向性結合器２と、前記方向性結合器２の検出した信号を検波し検出電圧を出力するレベル検出器６と、前記検出電圧と基準電圧とを差動増幅しＡＧＣ電圧を出力する直流増幅器１１（ＡＧＣ増幅器）と、前記ＡＧＣ電圧を記憶保持しこれをＡＧＣ記憶電圧として出力するＡＧＣ電圧記憶部１２と、前記ＡＧＣ電圧と前記ＡＧＣ記憶電圧のいずれか一方を択して出力する切替スイッチ１３と、前記切替スイッチ１３の選択出力した電圧に含まれる高域周波数成分を除去して低域周波数成分を保持し前記利得制御信号として前記可変利得増幅器４に供給する時定数回路９と、前記切替スイッチ１３の切替タイミングを制御すると共に前記ＡＧＣ電圧をＡＧＣ電圧記憶部１２に記憶するタイミングを制御する制御部１３を備えている。
また、前記ＡＧＣ電圧記憶部１２は前記ＡＧＣ電圧をデジタルデータに変換するＡ／Ｄ変換器１２ａと、前記Ａ／Ｄ変換器１２ａの変換したデジタルデータを記憶するメモリ１２ｂと、前記メモリ１２ｂが記憶するデジタルデータ（ＡＧＣ記憶電圧）をアナログデータに変換してＡＧＣ記憶電圧として出力するＤ／Ａ変換器１２ｃとを備えている。
【００１６】
図２は、本発明に係る自動利得制御装置の出力波形を示したものである。
以下、図１と図２を使って本発明に係る自動利得制御装置の動作を説明する。
まず、電源が投入された状態において制御部１３は切替スイッチ１３の切替信号をＬｏとする。前記切替信号（Ｌｏの状態）に従い切替スイッチ１３は予めＡＧＣ電圧記憶部１２に記憶保持されていた電圧（以下、初期記憶電圧と称する）を選択出力しこれを時定数回路９に供給する。時定数回路９は前記初期記憶電圧を保持しこれを前記利得制御信号Ｖｃｏｎｔの初期設定電圧として可変利得増幅器４に供給する。
そこで、時刻ｔ０において外部から制御部１３に送信制御信号（図２（ａ））を入力し、この信号に同期して時刻ｔ０において立ち上がる高周波バースト信号（図２（ｂ））を可変利得増幅器４に入力する。可変利得制御器４は前記利得制御信号Ｖｃｏｎｔの初期設定電圧に従い、入力された高周波バースト信号を所定の利得で増幅しこれを電力増幅器３に出力する。  
【００１７】
更に電力増幅器３は可変利得制御器４の出力を増幅しこれを方向性結合器２に供給する。
方向性結合器２は前記電力増幅器３の出力をアンテナ１に供給すると共にその一部を検出してレベル検出器６に出力する。レベル検出器６は供給された高周波バースト信号を検波し検出電圧Ｖｄを生成する。直流増幅器１１は前記検出電圧Ｖｄと予め設定した基準電圧Ｖｒｅｆとを差動増幅しＡＧＣ電圧（ＶＡＧＣ）を切替スイッチ１３へ供給する。（図２（ｄ））以上、電源投入から時刻ｔ１までの動作説明とする。
次に、高周波バースト信号が立ち上がってから所定時間が経過した時刻ｔ１において、制御部１３は切替信号をＨｉの状態（第２の切替信号）に設定する。（図２（ｃ））切替スイッチ１３は切替信号に従い直流増幅器１１の出力電圧（ＶＡＧＣ）を選択しこれを時定数回路９に出力する。（図２（ｇ））ここで、切替スイッチ１３が切り替わる時刻ｔ１において、時定数回路９が保持していた電圧（利得制御信号Ｖｃｏｎｔの初期設定電圧）と直流増幅器１１の出力電圧ＶＡＧＣ（ｔ１）が異なるときには、この差がフィードバックされ利得制御信号Ｖｃｏｎｔは所定時間経過後に一定電圧に収束する。（図２（ｈ））ここまでを時刻ｔ２までの動作説明とする。
【００１８】
次に、利得制御信号Ｖｃｏｎｔが一定電圧に収束した状態の時刻ｔ２において、制御部１３は書込制御信号をＡＧＣ電圧記憶部１２に送出する。（図２（ｅ））
ＡＧＣ電圧記憶部１２は、Ａ／Ｄ変換器１２ａがデジタルデータに変換し出力したＡＧＣ電圧ＶＡＧＣ（ｔ２）をメモリ１２ｂに記憶して保持し、これをＤ／Ａ変換器１２ｃにてアナログ電圧に変換し切替手段１３へ出力する。このとき、メモリ１２ｂに予め記憶してあった初期記憶電圧は前記ＡＧＣ電圧ＶＡＧＣ（ｔ２）に更新される。（図２（ｆ））
次に、時刻ｔ３において高周波バースト信号が立ち下がると、この立ち下がりに同期して制御部１３は切替信号をＬｏの状態（第１の切替信号）に設定する。（図２（ｃ））
切替スイッチ１３は前記切替信号（Ｌｏの状態）に従いＡＧＣ電圧記憶部１２（Ｄ／Ａ変換器１２ｃ）が出力するＡＧＣ電圧ＶＡＧＣ（ｔ２）を選択しこれをＡＧＣ記憶電圧として時定数回路９に出力する。（図２（ｇ））
【００１９】
次に、時刻ｔ４において高周波バースト信号が再び立ち上がると、この立ち上がりに同期して制御部１３は切替信号をＨｉの状態（第２の切替信号）とする。このとき、時定数回路９はＡＧＣ電圧記憶部１２からＡＧＣ記憶電圧ＶＡＧＣ（ｔ２）を供給されており、この電圧に従った利得にて可変利得増幅器４は高周波バースト信号を増幅する。レベル検出部６は時刻ｔ４において検出電圧Ｖｄを発生しこれを直流増幅器１１に供給する。直流増幅器１１は前記検波電圧Ｖｄと基準電圧Ｖｒｅｆを差動増幅しＡＧＣ電圧ＶＡＧＣ（ｔ４）を出力する。（図２（ｄ））ここで、時刻ｔ４においてＡＧＣ電圧はまだ可変利得増幅器４にフィードバックされていない状態であるが、記憶電圧ＶＡＧＣ（ｔ２）すなわちＡＧＣ電圧の収束値が切替スイッチ１３を介して可変利得制御器４に供給されており、時刻ｔ４〜ｔ５においてＡＧＣ電圧は記憶電圧ＶＡＧＣ（ｔ２）とほぼ等しい電圧を維持することに注意されたい。
【００２０】
次に、時刻ｔ４から所定時間が経過した時刻ｔ５において、制御部１３は切替信号をＨｉ（第２の切替信号）の状態にする。（図２（ｃ））切替スイッチ１３は前記切替信号（Ｈｉの状態）に従い直流増幅器１１の出力電圧（ＶＡＧＣ）を選択し、これを時定数回路９に出力する。このとき、直流増幅器１１の出力電圧（ＶＡＧＣ（ｔ５））とＡＧＣ電圧記憶部１２の出力電圧（ＶＡＧＣ（ｔ２））がほぼ等しいため、切替スイッチ１３を切り替えても切替スイッチ１３の出力電圧がほとんど変化することがない。すなわち、時定数回路９の出力電圧（利得制御電圧Ｖｃｏｎｔ）は切替スイッチ１３を切り替えてもオーバーシュートをほとんど発生せずに一定電圧を保持する。
【００２１】
次に、時刻ｔ６において制御部１３は書込制御信号をＡＧＣ電圧記憶部１２に送出する。（図２（ｅ））ＡＧＣ電圧記憶部１２は、Ａ／Ｄ変換器１２ａがデジタルデータに変換し出力したＡＧＣ電圧（ＶＡＧＣ（ｔ６））をＡＧＣ記憶電圧としてメモリ１２ｂに記憶保持し、これをＤ／Ａ変換器１２ｃにてアナログ電圧に変換し切替手段１３へ出力する。このとき、メモリ１２ｂに記憶されたＡＧＣ記憶電圧はＶＡＧＣ（ｔ２）からＶＡＧＣ（ｔ６）に更新される。（図２（ｆ））
次に、時刻ｔ７において高周波バースト信号が立ち下がると、この立ち下がりに同期して制御部１３は切替信号をＬｏの状態（第１の切替信号）に設定する。（図２（ｃ））切替スイッチ１３は前記切替信号（Ｌｏの状態）に従いＡＧＣ電圧記憶部１２（Ｄ／Ａ変換器１２ｃ）が出力するＡＧＣ記憶電圧（ＶＡＧＣ（ｔ６））を選択し時定数回路９に出力する。（図２（ｇ））
【００２２】
以下、詳細な説明は省略するが、高周波バースト信号の立ち上がりに同期して、ｔ２、ｔ６、ｔ１０…といった時刻毎に直流増幅器１１（ＡＧＣ増幅器）の出力するＡＧＣ電圧の収束値をＡＧＣ電圧記憶部１２に記憶すると共に、先に記憶してあったＡＧＣ記憶電圧を更新し、更新したＡＧＣ記憶電圧を高周波バースト信号が次に立ち上がる前に時定数回路９へ初期電圧として供給する。
従って、高周波バースト信号の立ち上がり直後に時定数回路９に供給する電圧（初期電圧）がＡＧＣ電圧の収束値と常に一致するよう更新するので、可変利得増幅器及び電力増幅器の利得の温度変化や経年変化等によって前記初期電圧とＡＧＣ電圧の収束値とがズレることを防止し、高周波バースト信号の立ち上がりに対してオーバーシュートが発生せずに速いフィードバック応答特性を維持することができる。
【００２３】
以上説明した実施例においては、高周波バースト信号が立ち上がる毎にＡＧＣ電圧記憶部１２に記憶してあった電圧を更新したが、本発明にあってはこれに限らず。
例えば、高周波バースト信号の立ち上がり回数を制御部１３で記憶しておき、所定の回数毎に記憶電圧を更新するといったことを行ってもよい。或いは、制御部１３に時刻タイマーを備えるようし、一定時間経過した後に高周波バースト信号の立ち上がりに同期して記憶電圧を更新するといったことを行ってもよいであろう。このようにすると、頻繁にメモリ１２ｂの内容を書き替える必要がなくなるので省力化が可能となる。
なお、従来は高周波バースト信号が立ち上がる前に時定数回路をプリチャージしていたため、高周波バースト信号よりも先行して立ち上がる利得制御信号を必要とし、また送信信号発生回路に対して高周波バースト信号の立ち上がり（バースト制御信号）を通知することが必要であった。これに対して、本発明は立ち上がりが先行する利得制御信号の生成を不要とし、また外部から入力された送信制御信号に対して一定時間遅延したタイミング信号のみを生成すればよいので、制御が簡単であり応用性の高い自動利得制御装置を提供することができる。
【図面の簡単な説明】
【００２４】
【図１】本発明に係る自動利得制御装置のブロック図。
【図２】本発明に係る自動利得制御装置の出力波形。
【図３】従来の送信電力制御装置のブロック図。
【図４】従来の送信電力制御装置の出力波形。
【符号の説明】
【００２５】
１・・アンテナ
２・・方向性結合器
３・・電力増幅器
４・・可変利得増幅器
５・・送信信号発生装置
６・・レベル検出器
７・・直流増幅器
８・・利得制御回路
９・・時定数回路
１０・・送信制御回路
１１・・直流増幅器
１２・・ＡＧＣ電圧記憶部
１２ａ・・Ａ／Ｄ変換器
１２ｂ・・メモリ
１２ｃ・・Ｄ／Ａ変換器
１３・・切替スイッチ
【図１】
2006216995.tif 000003
【図２】
2006216995.tif 000004
【図３】
2006216995.tif 000005
【図４】
2006216995.tif 000006